(57)【特許請求の範囲】
【請求項１】
搬送路に従って搬送される帳票を判別する書類処理装置であって、
前記搬送路へ順次送り込まれた前記帳票の複数領域に光を照射する発光手段と、
前記照射した光のうち、前記帳票を透過した光を検出する受光手段と、
前記検出された光のうち、前記帳票の端部近傍を透過した第１の光量と、前記端部近傍以外を透過した第２の光量とを比較する比較手段と、
前記比較結果をもとに前記帳票が全体として単票の形態をとるかまたは複票の形態をとるかを判定する判定手段と、
前記判定手段の判定結果に応じて前記帳票を単票と複票とに区分けする区分け手段とより成り、
前記判定手段は、前記第１の光量が、あらかじめ設定した前記帳票１枚分に相当する透過光量の範囲内にあり、かつ、前記第１の光量と前記第２の光量が略等しいときに前記帳票を全体として単票の形態をとると判定することを特徴とする書類処理装置。
【請求項２】
前記判定手段は、前記第１の光量が、あらかじめ設定した前記帳票１枚分に相当する透過光量の範囲内にあり、かつ、前記第２の光量が前記第１の光量より小さく、さらに、前記第２の光量の継続時間があらかじめ設定した時間以上のときに前記帳票を複票の形態をとると判定することを特徴とする請求項１記載の書類処理装置。
【請求項３】
前記第１の光量と比較する前に前記第２の光量を前記第１の光量に基づいて補正する手段を含むことを特徴とする請求項１又は２記載の書類処理装置。
【請求項４】
前記判定手段は、前記第１の光量が一定光量以下のとき、前記帳票が重複して搬送されたと判定することを特徴とする請求項１、２または３記載の書類処理装置。
【請求項５】
前記受光手段による光の検出がない場合、前記発光手段の発光機能に異常が発生したと判断することを特徴とする請求項１，２，３及び４のうち任意の請求項に記載の書類処理装置。
【請求項６】
前記発光手段は、帳票が搬送される方向に略直交して列状に配された複数個の発光素子からなり、前記受光手段は、前記発光素子各々に対向する位置に配された前記発光素子と同数の受光素子からなることを特徴とする請求項１，２，３、４及び５のうち任意の請求項に記載の書類処理装置。
【請求項７】
搬送路に従って搬送される帳票を判別する書類処理方法であって、
前記搬送路へ順次送り込まれた前記帳票の複数領域に光を照射するステップと、
前記照射した光のうち、前記帳票を透過した光を検出するステップと、
前記検出された光のうち、前記帳票の端部近傍を透過した第１の光量と、前記端部近傍以外を透過した第２の光量とを比較するステップと、
前記比較結果をもとに、前記第１の光量が、あらかじめ設定した前記帳票１枚分に相当する透過光量の範囲内にあり、かつ、前記第１の光量と前記第２の光量が略等しいときに前記帳票が全体として単票の形態をとると判定するステップと、
前記比較結果をもとに、前記第１の光量が、あらかじめ設定した前記帳票１枚分に相当する透過光量の範囲内にあり、かつ、前記第２の光量が前記第１の光量より小さく、さらに、前記第２の光量の継続時間があらかじめ設定した時間以上のときに前記帳票が全体として複票の形態をとると判定するステップと、
前記判定の結果に応じて前記帳票を単票と複票とに区分けするステップとより成ることを特徴とする書類処理方法。
【請求項８】
前記第１の光量と比較するステップの前に前記第２の光量を前記第１の光量に基づいて補正するステップを含むことを特徴とする請求項７記載の書類処理方法。
【請求項９】
前記第１の光量が一定光量以下のとき、前記帳票が重複して搬送されたと判定するステップを含むことを特徴とする請求項７または８記載の書類処理方法。
【請求項１０】
前記受光ステップにおいて光の検出がない場合、前記光の照射に異常が発生したと判断することを特徴とする請求項７、８または９記載の書類処理方法。
【発明の詳細な説明】
【０００１】
【発明の属する技術分野】
本発明は、例えば、搬送路に従って搬送される、種々の構成を有する書類や帳票を判別する書類処理装置および書類処理方法に関するものである。
【０００２】
【従来の技術】
近年、業務の多様化や顧客のニーズの変化に伴い、あらゆる業種において多種多様の書類や帳票等が使用され、同時にそれらを短時間に確実に処理する必要性が増してきている。例えば、病院におけるレセプト（診療報酬請求書）の処理、大規模小売店や通信販売業者等における伝票の処理を効率的に行うことが重要視されてきている。
【０００３】
【発明が解決しようとする課題】
しかしながら、従来の書類処理装置は、あらかじめ規格化された構成の帳票には対処できても、その帳票等が、種々の形態を有する帳票や付箋等がさらに添付された形態（いわゆる複票）をとる場合、それらを処理するものではなく、また、かかる帳票の状態を判別する方法もなかった。
【０００４】
本発明は、上述の課題に鑑みてなされたもので、その目的とするところは、種類の異なる帳票が混在しても、それらの搬送状態を確実に判別できる書類処理装置および書類処理方法を提供することである。
【０００５】
本発明の他の目的は、帳票の搬送状態を識別可能な書類処理装置および書類処理方法を提供することである。
【０００６】
【問題を解決するための手段】
かかる目的を達成するために、本発明は、搬送路に従って搬送される帳票を判別する書類処理装置であって、前記搬送路へ順次送り込まれた前記帳票の複数領域に光を照射する発光手段と、前記照射した光のうち、前記帳票を透過した光を検出する受光手段と、前記検出された光のうち、前記帳票の端部近傍を透過した第１の光量と、前記端部近傍以外を透過した第２の光量とを比較する比較手段と、前記比較結果をもとに前記帳票が全体として単票の形態をとるかまたは複票の形態をとるかを判定する判定手段と、前記判定手段の判定結果に応じて前記帳票を単票と複票とに区分けする区分け手段とより成り、前記判定手段は、前記第１の光量が、あらかじめ設定した前記帳票１枚分に相当する透過光量の範囲内にあり、かつ、前記第１の光量と前記第２の光量が略等しいときに前記帳票を全体として単票の形態をとると判定することを特徴とする書類処理装置を提供する。
【０００８】
例えば、上記判定手段は、上記第１の光量が、あらかじめ設定した上記帳票１枚分に相当する透過光量の範囲内にあり、かつ、上記第２の光量が上記第１の光量より小さく、さらに、上記第２の光量の継続時間があらかじめ設定した時間以上のときに上記帳票を全体として複票の形態をとると判定することを特徴とする。
【０００９】
また、上述した課題を解決する一手段として、第１の光量と比較する前に第２の光量を第１の光量に基づいて補正する手段を備える。
【００１２】
例えば、上記判定手段は、上記第１の光量が一定光量以下のとき、上記帳票が重複して搬送されたと判定することを特徴とする。
【００１４】
例えば、上記受光手段による光の検出がない場合、上記発光手段の発光機能に異常が発生したと判断することを特徴とする。
【００１９】
【発明の実施の形態】
以下、添付図面を参照して、本発明に係る実施の形態例について詳細に説明する。本実施の形態例に係る判別装置（タイムユニットともいう）は、後述する専用の機能を有する複数の装置からなる書類処理装置の一部を構成する装置である。図１は、この判別装置を含む書類処理装置の全体構成を示す外観図である。同図に示すように、本判別装置６０は、読取装置２０とスタッカ装置３０の間に位置する。
【００２０】
書類処理装置のうち、フィーダ装置１０は、載置された書類、帳票等を分離・搬送するための装置であり、種々の厚さを有し、かつ、綴じ方も不定な帳票を一綴りごとに分離して、それらを読取装置２０へ搬送する。読取装置２０は、フィーダ装置１０より搬送されてきた帳票の表面全体の画像情報を読み取り、所定の画像解析処理を行う。
【００２１】
具体的には、読取装置２０は、フィーダ装置１０より搬送された帳票の表面あるいは裏面の画像情報を、撮像装置（イメージリーダ）５０によりイメージとして電子的に取り込み、帳票の所定領域に記載された文字等の画像を解析して、記載内容を抽出する。そして、取り込み結果に従ってスタッカ装置３０を制御する。
【００２２】
判別装置６０は、読取装置２０の後段（下流側）に位置し、後述する方法により、読取装置２０から送られてきた帳票が単一構成の帳票（単票）であるか、あるいは、その帳票が他の帳票を添付した形態（例えば、続紙や付箋を伴う、いわゆる複票）をとるか、あるいは、単票が他の単票と重なった状態で搬送されていないかどうか等を判定する。
【００２３】
スタッカ装置３０は、判別装置６０の後段において、それより搬送されてきた帳票を、読取装置２０からの指示に従ったポケットに載置する書類収納部として機能する。書類処理装置は、さらに、作業者が種々の操作情報を入力したり、装置の動作状態等を表示したり、あるいは、イメージリーダ５０で読み込んだ画像を可視表示するための、操作部や表示部等として機能するモニタ部４０を有している。
【００２４】
なお、書類イメージの読取り処理や書類の収納処理の具体的な内容については、本願発明と直接的な関係がないため、ここでは、それらの詳細な説明を省略する。
【００２５】
次に、本実施の形態例に係る判別装置について詳細に説明する。図２は、判別装置６０の主要部を示す外観図である。同図に示す判別装置６０には、その搬送面１５０に沿って帳票を搬送するため、５本の搬送ベルト１０３ａ，１０３ｂ，１０３ｃ，１０３ｄ，１０３ｅが配されている。これらの搬送ベルトは、一定の距離をおいて、相互に平行に隣り合う位置関係を維持している。また、これらの搬送ベルトの両側の搬送面１５０上には、複数個の空気穴４０１が開けられており、これらの穴より所定量、所定圧で空気が吸い込まれる構造（エア機構と呼ぶ）になっている。
【００２６】
搬送ベルト１０３ａ〜１０３ｅは、不図示の駆動モータで回転駆動されて、相互に同期して、同一方向へ同じ速度で移動する。同時に、空気穴４０１より空気の吸い込みが行われる。このとき、図２の矢印で示す方向に、読取装置２０より帳票５００が搬入されると、その帳票は、最初に搬送ベルトの先端部近傍に触れて、判別装置６０側へ引き込まれる。そして、帳票は直ちに第１のローラ群１２１の下部に到達する。
【００２７】
第１のローラ群１２１は、複数（ここでは５個）の回転ローラからなり、それぞれが搬送ベルト１０３ａ〜１０３ｅの真上に位置する。この第１のローラ群１２１は、例えば、自重により、その下部を通過する帳票へ一定の押圧力を付与することによって、判別装置における搬送の最初の段階で帳票が浮き上がるのを防止している。
【００２８】
第１のローラ群１２１の下部を通過した帳票は、上述した空気穴４０１へ流入する空気により吸い込まれながら、回転駆動された搬送ベルト１０３ａ〜１０３ｅに従って、搬送面１５０上を移動する。帳票は、この空気の吸い込みによって、その搬送時における水平方向の高速移動にもかかわらず、確実に搬送ベルト１０３ａ〜１０３ｅに密着して、これらのベルトの移動とともに、浮き上がりや位置ずれ等を生じることなく搬送路の下流方向へ搬送される。
【００２９】
搬送面１５０の途中には、搬送方向にほぼ直交して帳票検知部１０１が配されており、光による帳票の構成判定や厚さ検出等を行う。そのため、帳票検知部１０１は、搬送面１５０の内部に、搬送方向に直交させて列状に埋め込まれた発光素子１〜５（１０５ａ，１０５ｂ，１０５ｃ，１０５ｄ，１０５ｅ）と、発光素子１〜５それぞれに対向する位置に配された受光素子１〜５（１０７ａ，１０７ｂ，１０７ｃ，１０７ｄ，１０７ｅ）を有する。なお、帳票構成や厚さ検出等の詳細については、後述する。
【００３０】
また、帳票検知部１０１は、可動アームの先端部に回転ローラを配した構造を持つ、３つの厚さ検出部１３１，１３２，１３３を有する。これらの回転ローラ各々は、その下部を通過する帳票の厚さに応じて、独立して上下に動くことで、その動きがアームに伝わるようになっている。厚さ検出部は、このアームの動き（例えば、移動距離や回転角度）をもとに、そのときにローラの下部に位置する帳票の厚さが、所定厚以上かどうかを検知する。
【００３１】
かかる帳票の厚さ検出は、その帳票が、判別装置６０の次段に位置するスタッカ装置３０における帳票分別能力を超える厚さか否かを判別するために行うものである。本実施の形態例では、帳票の厚さが、例えば、３０枚以上かどうかを検出している。
【００３２】
図３は、厚さ検出部における帳票の厚さ検出の原理を模式的に示している。厚さ検出部１３１，１３２，１３３の下部に位置する帳票が、例えば、１枚のとき、ローラ３０１は、ほぼ搬送面１５０と同じ高さに位置する。しかし、帳票の厚さが所定厚以上（例えば、３０枚）であれば、ローラは、図３のローラ３０３の位置まで持ち上がるため、それを支持するアームの位置も、アーム３０７からアーム３０８へ変わる。
【００３３】
上記のアーム位置の変化により、アームの先端部３０５が、例えば、帳票検知部１０１内に配されたフォトインタラプタ３１０の受光部を遮ると、帳票検知部１０１は、そのとき下部を通過中の帳票の厚さが、所定厚以上であると認識する。
【００３４】
なお、図２に示すように、搬送面１５０の搬送終端部にも、複数（５個）の回転ローラからなる第２のローラ群１２２が配されており、上述した第１のローラ群１２１と同様、それぞれのローラが、搬送ベルト１０３ａ〜１０３ｅの真上に位置する。そして、このローラ群１２２も自重により、その下部を通過する帳票へ一定の押圧力を付与して、本判別装置における搬送の最終段階において帳票が浮き上がるのを防止し、次段のスタッカ装置３０に対する帳票の搬送を円滑に進めるようにしている。
【００３５】
図４は、本実施の形態例に係る判別装置の主要部の機能構成を示すブロック図である。同図に示すように、本判別装置６０は、タイムユニットとしての装置全体の制御を司る、例えば、マイクロプロセッサからなる主制御部５０１、制御プログラム等を格納するためのメモリ５１３、後述する構成を有する帳票検知部１０１、主制御部５０１からの制御により、上述した搬送ベルトを駆動するモータ駆動部５１５を備える。なお、判別装置６０における制御や判定結果等は、本判別装置を含んで構成する書類処理装置の制御を行うホストコンピュータ６０１へ送られる。
【００３６】
帳票検知部１０１は、列状に配置された発光素子１０５ａ，１０５ｂ，１０５ｃ，１０５ｄ，１０５ｅ（これらの素子は、上述のように搬送面１５０の下部に埋め込まれ、素子からの光が、搬送面１５０に設けた孔より垂直上部方向へ放出されるようになっている）からなる発光部５５０、発光部５５０の上部に位置し、発光素子各々に対応する受光素子１０７ａ，１０７ｂ，１０７ｃ，１０７ｄ，１０７ｅからなる受光部５４０、受光部５４０からの光量情報をもとに、帳票を通過して到達した光量を検知する光量検知部５３０、光量検知部５３０の判定結果をもとに、搬送された帳票が単票か複票かを検知する単／複判定部５２０、そして、上述した厚さ検出部１３１，１３２，１３３からなる。
【００３７】
次に、本実施の形態例に係る判別装置の具体的な動作、および制御手順を説明する。図５は、本実施の形態例に係る判別装置における制御手順を示すフローチャートである。本判別装置は、最初に、受光素子１〜５（１０７ａ，１０７ｂ，１０７ｃ，１０７ｄ，１０７ｅ）が、それらに対応して配された発光素子１〜５（１０５ａ，１０５ｂ，１０５ｃ，１０５ｄ，１０５ｅ）から発せられる光のうち、受光素子１〜５に到達する光の光量を検知する。
【００３８】
なお、判別装置の光量検知部５３０は、搬送面１５０の奥側に位置する受光素子１（１０７ａ）について、その受光素子と発光素子との間に帳票がないときの受光光量と、これらの間に、処理対象とする帳票が１枚、あるいはそれ以上あるときの受光光量を、後述するレベルに分けて、それらを、あらかじめ光量データとして記憶している。
【００３９】
ここでは、帳票が１枚か否かを判別する光量データは、帳票の材質や印刷状態等が変わっても、それが１枚か否かの判別を確実に行える光量の範囲を、あらかじめ測定して決める。
【００４０】
また、ここで扱う帳票は、複票の形態をとる場合でも、その領域のうち、受光素子１に対応する所定領域（例えば、帳票の端部から５ｃｍ以内の領域（後述する、図７の斜線部分の領域５００ｃ参照））は、常に単票（１枚）構成になっている。そのため、ダブルフィード等のない正常な帳票搬送時には、発光素子１−受光素子１間には、常に１枚分の帳票が通過、搬送されることになる。
【００４１】
光量検知部５３０は、ステップＳ１において、受光素子１〜５全てにおける受光光量を検知し、続くステップＳ２で、光量異常の判定を行う。受光光量が、上述した、帳票がないときの光量、および帳票が少なくとも１枚あるときの光量のいずれでもない場合には、光量に異常があると判定する（ステップＳ２でＹＥＳ）。光量異常とは、例えば、発光素子１〜５からの発光が全くないか、あるいは、光量が極端に低い状態を指す。よって、この場合、光量検知部５３０は、ステップＳ５０において「ランプ切れ」と判定し、その旨を、例えば、警告という形で主制御部５０１に通知する。
【００４２】
一方、光量検知部５３０で検知した光量が、帳票がないときの光量であれば、主制御部５０１は、ステップＳ３において、「帳票なし」と判定し、処理をステップＳ１へ戻す。しかし、受光素子１〜５における光量が、少なくとも帳票が１枚あるときに相当する光量であれば、主制御部５０１は、ステップＳ３で、「帳票あり」と判断する。「帳票あり」と判断されれば、続くステップＳ５において、タイマー（不図示）を起動する。
【００４３】
光量検知部５３０は、ステップＳ７で、受光素子１（１０７ａ）が実際に検知した光量と、あらかじめ記憶された光量データとの関係をみる。その結果、検知した光量が所定の範囲内にあれば、その光量を、基準レベルを示す光量データとして格納するとともに、その基準となる光量と、他の受光素子２〜５（１０７ｂ，１０７ｃ，１０７ｄ，１０７ｅ）が検知した光量とを比較する。
【００４４】
ここで、帳票と受光光量の関係について簡単に説明する。図６は、発光素子−受光素子間にある帳票の枚数と、その帳票を通過した光を受光素子が受けたときの光透過率との関係を示している。同図に示すように、帳票がないときには受光光量が最大になり（同図に示すレベル０）、帳票が１枚のときには、それよりも透過率が下がった受光量レベル（レベル１）になる。
【００４５】
また、発光素子−受光素子間に帳票が２枚、介在すれば、さらに透過率が低下し（レベル２と呼ぶ）、３枚以上の帳票が介在したときの受光レベルを、ここでは、レベルMとする。なお、上述した「ランプ切れ」の場合、帳票に対する光の透過がないため、受光レベルは最低レベルとなる。また、レベル０を除く各レベルには、図６において矩形で示すようにレベル幅（透過率の変動）がある。これは、主に帳票の紙質、厚さ、表面処理に起因するものである。よって、同種類の帳票を処理する限りにおいて、各レベルが相互に重なり合うことはない。
【００４６】
ステップＳ１１において、光量検知部５３０は、受光素子１（センサ１ともいう）における検知レベルが、上記のレベル１に等しいかどうか（より厳密には、レベル１の範囲内にあるか）を判定する。センサ１の検知レベルが、レベル１の範囲内になければ（ステップＳ１１でＮＯ）、単／複判定部５２０は、２枚あるいはそれ以上の帳票が重なって搬送された状態にあるとして、ステップＳ３０において、ダブルフィード（二重搬送）と判定する。
【００４７】
センサ１の検知レベルが、レベル１の範囲内にあると判定された場合には、帳票の種類の判定処理に移行する。すなわち、光量検知部５３０は、ステップＳ１５において、センサ１が実際に検知した受光レベルと、他の受光素子２〜５（他センサともいう）が受光したレベルとを比較する。そして、光量検知部５３０は、その結果を単／複判定部５２０に通知する。
【００４８】
単／複判定部５２０は、センサ１と他センサにおける受光レベルが、所定の範囲内において同等のレベルにあるか否かを判定する。そして、それらが同等のレベル内にあれば、光量検知部５３０は、ステップＳ１６において、そのとき搬送されている帳票を全体として単票と判定する。この判定結果を受けた主制御部５０１は、その旨を区分け信号としてホストコンピュータ６０１へ送出する（ステップＳ３５）。
【００４９】
なお、ここでの区分け信号とは、本判別装置の次段に位置するスタッカ装置３０へ搬送された帳票を、あらかじめ指定したスタッカ部内に分離、収納するための指示信号である。
【００５０】
一方、センサ１と他センサ（センサ２〜５）における受光レベルが同等のレベルではない場合、つまり、同一帳票の異なる領域において光の透過率に差異がある場合には、１つの帳票に他の帳票等が添付されている可能性があるとして、複票の判定処理に入る（ステップＳ１８等）。
【００５１】
そこで、具体的な複票判定の原理について説明する。図７は、複票判定の方法を説明するための図であり、判定対象とする帳票５００が、矢印方向へ移動しながら、搬送面（図２等の１５０参照）上の帳票検知部１０１を通過しているときの様子を真上から見た図である。帳票５００は、その矩形領域５００ｂが複票構成となっている部分で、他の部分（５００ａ，５００ｃ）は、単票構成になっている。
【００５２】
なお、領域５００ｃ（斜線部）は、上述したように、帳票の端部から５ｃｍ以内の領域に対応する。また、帳票５００の搬送方向における長さはＬ１、複票部分の搬送方向の長さはＬ２である。
【００５３】
帳票検知部１０１を通過する帳票５００は、垂直方向に位置合わせして配された発光素子と受光素子の間を通過する。図７の符号ａ，ｂ，ｃ，ｄ，ｅは、これらの発光素子と受光素子の組み（ペアセンサと呼ぶ）を示しており、図２に示す素子１０５ａ−１０７ａの組みがペアセンサａ、素子１０５ｂ−１０７ｂの組みがペアセンサｂ、素子１０５ｃ−１０７ｃの組みがペアセンサｃ、素子１０５ｄ−１０７ｄの組みがペアセンサｄ、そして、素子１０５ｅ−１０７ｅの組みがペアセンサｅである。
【００５４】
本実施の形態例に係る判別装置に帳票５００が搬入され、搬送ベルトとエア機構により帳票検知部１０１まで搬送されてきた帳票は、最初に、その端部７０１が、帳票検知部１０１に配されたペアセンサａ，ｂ，ｃ，ｄ，ｅによって検出される。そして、端部の検出と同時に、上述したタイマーが起動される（図５のステップＳ１，Ｓ３，Ｓ５参照）。
【００５５】
なお、帳票端部の検出は、上述した光量のレベル（図６参照）について、複数のペアセンサが、例えば、レベル０からレベル１あるいはレベル２への急激な変化をほぼ同時に検知することで行われる。
【００５６】
帳票５００がペアセンサａ，ｂ，ｃ，ｄ，ｅを通過すると、図７に示すように、ペアセンサａ，ｂは、帳票の単票構成部分５００ａ，５００ｃを走査することになる。そこで、帳票の搬送速度をｖとすると、この単票部分がペアセンサａ，ｂを通過するのに要する時間ｔ1は、ｔ1＝Ｌ１／ｖで表すことができる。
【００５７】
また、ペアセンサｃ，ｄ，ｅは、帳票の複票構成部分５００ｂを走査するので、この複票構成部分がペアセンサｃ，ｄ，ｅを通過するのに要する時間ｔ2（ここでは、このｔ2に対応する信号を“複票信号”と呼ぶ）は、ｔ2＝Ｌ２／ｖとなる。なお、図７の場合、Ｌ１＞Ｌ２であるから、ｔ1＞ｔ2である。
【００５８】
本実施の形態例に係る判別装置の単／複判定部５２０は、光量検知部５３０からの検知結果をもとに、上記５つのペアセンサのうち、一定個数以上のセンサにおいて、複票信号が所定時間以上（例えば、ｔ2≧５０ｍｓ）、継続して出力され、かつ、上記ｔ1≧ｔ2の関係（ｔ1とｔ2が等しい場合があることについては、後述する）が満たされるかどうかを判断する。
【００５９】
上記の関係が満たされる場合（ステップＳ１８でＹＥＳ）、同一帳票において領域により光の透過率に顕著な差異があることが判明したとして、単／複判定部５２０は、その帳票は、他の帳票等が添付された、全体として複票であると判定する（ステップＳ１９）。単／複判定部５２０は、ステップＳ３５において、その帳票が複票であるとする判定結果を主制御部５０１へ通知する。そして、この通知を受けた主制御部５０１は、その旨を区分け信号としてホストコンピュータ６０１へ送出する。
【００６０】
しかし、搬送された帳票が単票以外の形態をとることが判明した場合であっても、同一帳票の異なる領域の光透過率に差異がないために、その帳票の通過時間等について、上述した関係が満たされない場合には（ステップＳ１８でＮＯ）、帳票検知部１０１において、帳票の枚数検知（３０枚判定）を行う。
【００６１】
すなわち、帳票検知部１０１に配された３つの厚さ検出部１３１，１３２，１３３は、上述した動作により、各々が独立して、その下部を通過する帳票の厚さを検知する。例えば、これらの厚さ検出部のアーム（図３参照）が、あらかじめ設定した、３０枚分の帳票に相当する動作量を示し、その状態が５０ｍｓ以上継続した場合（この状態を示す信号を“３０枚信号”と呼ぶ）、ステップＳ２０での判定結果がＹＥＳとなる。
【００６２】
よって、厚さ検出部１３１，１３２，１３３は、ステップＳ２１において、３０枚判定の結果を主制御部５０１へ通知する。そこで、主制御部５０１は、続くステップＳ３５において、その旨を区分け信号として、ホストコンピュータ６０１へ送出する。そして、ステップＳ３７では、タイマーがリセットされ、次に搬送されてくる帳票に対して、上述した各処理を同様に実行するための準備に入る。
【００６３】
なお、本実施の形態例に係る判別装置の単／複判定部５２０は、単／複判定の対象となる帳票５００の複票構成が、図７に示す構成以外であっても対応できる。例えば、図８の（ａ），（ｂ）に示すように、複票構成部分５００ｂが帳票の中央部に位置する場合や、同図（ｃ）に示すように、複票構成部分５００ｂが、単票構成部分５００ｃを除く単票構成部分５００ａと重なる位置にある構成になっていても、図７に示す場合と同様に単／複判定が行われる。
【００６４】
また、図８の（ａ），（ｂ）に示す例の場合、図７の例と同様、Ｌ１＞Ｌ２であるから、ｔ1＞ｔ2の関係があるが、図８の（ｃ）に示す構成では、Ｌ１＝Ｌ２であるから、ｔ1＝ｔ2となる。
【００６５】
以上説明したように、本実施の形態例によれば、搬送される同一帳票の異なる複数の領域における光の透過率を検知し、それらを相互に比較して、特定領域の透過率と他の透過率とに差がなければ、その帳票を単票と判定するが、それらに顕著な差異があれば、その帳票は、他の帳票や続紙等が添付された構成をとる複票であると判定する。これにより、単票と複票が混在していても、帳票の区分けを確実に行うことができる。
【００６６】
この際、搬送により移動している帳票の異なる領域における光の透過率を検知していることと、各受光素子が、スポットではなく広い領域を検知対象としているため、帳票に印刷された文字等による光の透過率への影響が回避され、確度の高い帳票判定を行うことができる。
【００６７】
また、光の透過率に差がなくても、特定領域の透過率が、あらかじめ設定した値よりも低いときには、帳票が重複して搬送されていると判断することで、いわゆる帳票の二重搬送（ダブルフィード）を確実に検知できる。
【００６８】
さらには、一定の厚さ（枚数）を超える帳票を検知する機構を設けることで、本判別装置の次段に位置するスタッカ装置へ、そのポケットの書類収納能力を超える厚さを有する帳票が搬送されるのを防止することができる。
【００６９】
また、帳票の判別のための搬送をベルトのみに頼らず、エア機構をも使用して帳票を吸引しながら搬送しているため、搬送途中で帳票が傾いたり、帳票そのものを破損させることがなく、さらには、帳票の宙への舞い上がりを防止できるため、帳票判定のための確実な帳票フィードが可能になる。
【００７０】
なお、本発明は、上述した実施の形態例に限定されるものではなく、発明の趣旨を逸脱しない範囲において種々の変形が可能である。本発明は、処理対象とする帳票の全体に色が付いている場合、または、１枚の帳票の厚さが異なっている場合において、色なしの帳票、または厚めの帳票と比べて光の透過率に変動が生じるため、単票であるにも拘わらず複票と誤判定するといった不都合を防止するための機構を備える。
【００７１】
具体的には、光量検知部５３０が、受光素子１（１０７ａ）が実際に検知した光量を基準レベルとして採用し、この基準レベルを、他の受光素子２〜５（１０７ｂ，１０７ｃ，１０７ｄ，１０７ｅ）が検知した光量に反映させるという制御形態をとる。この場合、基準レベルとした光量データは、色付き帳票、または厚めの帳票を透過した光についてのデータであるため、光量検知部５３０は、そのデータを他の受光素子からの光量データに反映して、帳票の色、または紙の厚みに起因して低下した透過率の積み上げ（光量データの補正）を行い、補正されたデータを単／複判定部５２０へ送る。
【００７２】
このような構成とすることで、受光素子１が、色付き帳票、または厚めの帳票の特定領域の透過率について、あらかじめ色なしの帳票、または厚めの帳票をもとに設定した値を逸脱する光量データを得た場合でも、確実に単票であるとの判定を行える。なお、色付き帳票、または厚めの帳票が複票の形態で搬送されてきた場合であっても、上記と同様の制御機構を適用できることは言うまでもない。
【００７３】
【発明の効果】
以上説明したように、本発明によれば、単票と複票が混在していても確実に帳票の区分けができる。
【００７４】
また、本発明によれば、帳票の二重搬送（ダブルフィード）だけでなく、一定の厚さを超える帳票をも確実に検知できる。
【図面の簡単な説明】
【図１】本発明の実施の形態例に係る判別装置を含む書類処理装置の全体構成を示す外観図である。
【図２】実施の形態例に係る判別装置の主要部を示す外観図である。
【図３】実施の形態例に係る帳票の厚さ検出の原理を模式的に示す図である。
【図４】実施の形態例に係る判別装置の主要部の機能構成を示すブロック図である。
【図５】実施の形態例に係る判別装置における制御手順を示すフローチャートである。
【図６】帳票枚数と光の透過率の関係を示す図である。
【図７】複票判定の方法を説明するための図である。
【図８】帳票の複票構成について他の例を示す図である。
【符号の説明】
１０    フィーダ装置
２０    読取装置
３０    スタッカ装置
４０    モニタ部
５０    イメージリーダ
６０    判別装置
１０１    帳票検知部
１０３ａ，１０３ｂ，１０３ｃ，１０３ｄ，１０３ｅ    搬送ベルト部
１０５ａ，１０５ｂ，１０５ｃ，１０５ｄ，１０５ｅ    発光素子
１０７ａ，１０７ｂ，１０７ｃ，１０７ｄ，１０７ｅ    受光素子
１２２，１２１    ローラ群
１３１，１３２，１３３    厚さ検出部
４０１    空気穴
５００    帳票
５０１    主制御部
５１３    メモリ
５１５    モータ駆動部
５２０    単／複判定部
５３０    光量検知部
５４０    受光部
５５０    発光部
６０１    ホストコンピュータ
【図１】
0003698364.tif 000002
【図２】
0003698364.tif 000003
【図３】
0003698364.tif 000004
【図４】
0003698364.tif 000005
【図５】
0003698364.tif 000006
【図６】
0003698364.tif 000007
【図７】
0003698364.tif 000008
【図８】
0003698364.tif 000009